(57)【要約】  安全剃刀１０が、それぞれが剃刀カートリッジ１４の２つの戻り止め５６、５８のそれぞれ一方を受け取る１対の凹部３４を有する延長部３０を含むハンドル１２を有し、この延長部は、剃刀カートリッジの陥凹部５０に係合するカートリッジ支持構造を提供する。剃刀カートリッジは、刃ユニット１６、１８及びコネクタ２０を有する。剃刀カートリッジの陥凹部は、コネクタの床部６０及び天井部７０を形成する対向壁によって部分的に定められ、２つの戻り止めは床部に存在して陥凹部内に延びる。床部は、２つの戻り止め間にスロット９０を有し、このスロットは、それぞれの床部上のいずれか一方の戻り止めの撓みがそれぞれの床部上の他方の戻り止めの撓みに実質的に影響されない大きさに設定される。【選択図】      図８
2020531202.tif 000002
【特許請求の範囲】
【請求項１】
安全剃刀であって、
延長部を有するハンドルと、
刃ユニット及びコネクタを含む剃刀カートリッジと、
を備え、
前記延長部は、前記剃刀カートリッジの陥凹部に係合するカートリッジ支持構造を提供し、
前記延長部は、前記剃刀カートリッジが前記延長部との接続中及び前記延長部からの分離中に沿って移動できる軸を定め、
前記延長部は、それぞれが前記剃刀カートリッジの２つの戻り止めのそれぞれ一方を受け取る１対の凹部を有し、
前記ハンドルは、前記延長部に沿って摺動可能であるとともに前記剃刀カートリッジに係合して該剃刀カートリッジを前記ハンドルの前記延長部から分離させるように適合されたユーザ操作可能なエジェクタを含み、
前記剃刀カートリッジの前記陥凹部は、床部及び天井部を形成する前記コネクタの対向壁によって部分的に定められ、前記２つの戻り止めは、前記床部上に存在して前記陥凹部内に延び、
前記床部は、前記２つの戻り止め間の中心スロットをさらに有し、該中心スロットは、前記ハンドルの前記延長部から前記剃刀カートリッジを分離させるために前記ユーザ操作可能なエジェクタが操作された時に、それぞれの床部上のいずれか一方の戻り止めの撓みがそれぞれの床部上の他方の戻り止めの撓みに実質的に影響されないような大きさに設定される、
ことを特徴とする安全剃刀。
【請求項２】
前記陥凹部は、外側壁によってさらに定められ、前記床部は、該床部と前記外側壁との間の接合部又はその付近に側方スロットを有する、
請求項１に記載の安全剃刀。
【請求項３】
前記陥凹部は、前記床部から前記天井部に向かって延びる、前記陥凹部の入口に対向する前記陥凹部の端部の２つの端壁によってさらに定められ、各端壁は、それぞれの戻り止めに隣接する、
請求項１又は２に記載の安全剃刀。
【請求項４】
前記端壁の少なくとも一方は、前記床部から前記天井部に延びる、
請求項１から３のいずれかに記載の安全剃刀。
【請求項５】
少なくとも一方の端壁と前記天井部との間に、該端壁と該天井部とを分離する間隙が設けられる、
請求項１から３のいずれかに記載の安全剃刀。
【請求項６】
前記戻り止めは対称的な大きさに設定され、及び／又は前記コネクタの中心面の周囲に配置される、
請求項１から５のいずれかに記載の安全剃刀。
【請求項７】
前記戻り止めは非対称的な大きさに設定され、及び／又は前記コネクタの中心面の周囲に配置される、
請求項１から５のいずれかに記載の安全剃刀。
【請求項８】
刃ユニットとコネクタとを備えた剃刀カートリッジであって、
前記コネクタは、床部及び天井部を形成する前記コネクタの対向壁によって部分的に定められた陥凹部を有し、前記床部から前記陥凹部内に２つの戻り止めが延び、
前記床部は、前記２つの戻り止め間の中心スロットをさらに有し、該中心スロットは、前記２つの戻り止めのいずれか一方に撓みが伝わった時に、それぞれの床部上のいずれか一方の戻り止めの撓みがそれぞれの床部上の他方の戻り止めの撓みに実質的に影響されない大きさに設定される、
ことを特徴とする剃刀カートリッジ。
【請求項９】
前記陥凹部は、外側壁によってさらに定められ、前記床部は、該床部と前記外側壁との間の接合部又はその付近に側方スロットを有する、
請求項８に記載の剃刀カートリッジ。
【請求項１０】
前記陥凹部は、前記床部から前記天井部に向かって延びる、前記陥凹部の入口に対向する前記陥凹部の端部の２つの端壁によってさらに定められ、各端壁は、それぞれの戻り止めに隣接する、
請求項８又は９に記載の剃刀カートリッジ。
【請求項１１】
前記端壁の少なくとも一方は、前記床部から前記天井部に延びる、
請求項８から１０のいずれかに記載の剃刀カートリッジ。
【請求項１２】
少なくとも一方の端壁と前記天井部との間に間隙が設けられる、
請求項８から１０のいずれかに記載の剃刀カートリッジ。
【請求項１３】
前記戻り止めは対称的な大きさに設定され、及び／又は前記コネクタの中心面の周囲に配置される、
請求項８から１２のいずれかに記載の剃刀カートリッジ。
【請求項１４】
剃刀カートリッジのコネクタであって、
前記コネクタは、床部及び天井部を形成する前記コネクタの対向壁によって部分的に定められた陥凹部を有し、前記床部から前記陥凹部内に２つの戻り止めが延び、
前記床部は、前記２つの戻り止め間の中心スロットをさらに有し、該中心スロットは、前記２つの戻り止めのいずれか一方に撓みが伝わった時に、それぞれの床部上のいずれか一方の戻り止めの撓みがそれぞれの床部上の他方の戻り止めの撓みに実質的に影響されない大きさに設定される、
ことを特徴とするコネクタ。
【請求項１５】
前記陥凹部は、外側壁によってさらに定められ、前記床部は、該床部と前記外側壁との間の接合部又はその付近に側方スロットを有する、
請求項１４に記載のコネクタ。
【請求項１６】
前記陥凹部は、前記床部から前記天井部に向かって延びる、前記陥凹部の入口に対向する前記陥凹部の端部の２つの端壁によってさらに定められ、各端壁は、それぞれの戻り止めに隣接する、
請求項１４又は１５に記載のコネクタ。
【請求項１７】
前記端壁の少なくとも一方は、前記床部から前記天井部に延びる、
請求項１４から１６のいずれかに記載のコネクタ。
【請求項１８】
少なくとも一方の端壁と前記天井部との間に間隙が設けられる、
請求項１４から１６のいずれかに記載のコネクタ。
【請求項１９】
前記戻り止めは対称的な大きさに設定され、及び／又は前記コネクタの中心面の周囲に配置される、
請求項１４から１８のいずれかに記載のコネクタ。
【発明の詳細な説明】
【技術分野】
【０００１】
本開示は、安全剃刀及び安全剃刀カートリッジに関し、具体的には、剃刀ハンドルに接続するためのコネクタを含む剃刀カートリッジに関する。
【背景技術】
【０００２】
安全剃刀としても知られている多くの最新の湿式シェービング剃刀は、ハンドルと、ハンドルに取り付けられた剃刀カートリッジとを含む。一部の剃刀は、ハンドル及び剃刀カートリッジが使用後に廃棄されるいわゆる使い捨て剃刀である。他の剃刀は、再利用できるハンドルと、使用後に廃棄されて新たなカートリッジに交換できる着脱交換式剃刀カートリッジとを含む、いわゆるシステムの形をとることができる。
【０００３】
米国特許第５，７８７，５８６号には、剃刀刃を保持するハウジングを含む剃刀カートリッジと、ハウジングを枢動可能に支持する相互接続部材としても知られているコネクタとを有するシェービングシステムが開示されている。剃刀ハンドルは、コネクタの陥凹部（ｒｅｃｅｓｓ）に係合するカートリッジ支持構造を提供する、一般に広くて平らな延長部を有する。陥凹部は、床部（ｆｌｏｏｒ）と対向する天井部（ｃｅｉｌｉｎｇ）とを提供する壁部によって部分的に定められる。床部の切り抜かれた片持ち状フラップ部分（ｃａｎｔｉｌｅｖｅｒｅｄ  ｆｌａｐ  ｐｏｒｔｉｏｎ）には、１対の戻り止め（ｄｅｔｅｎｔｓ）が位置する。各戻り止めは、ハンドル延長部の１対の凹部（ｄｅｐｒｅｓｓｉｏｎｓ）の一方に係合して剃刀カートリッジをハンドルにスナップ式に接続する。
【０００４】
米国特許第５，９５６，８５１号には、剃刀刃を保持するハウジングとコネクタとを含む剃刀カートリッジを有する別のシェービングシステムが開示されている。このコネクタの床部の切り抜かれたフラップ部分には、１対のラッチ部材が位置する。各ラッチ部材は、ハンドル延長部の１対の凹部の一方に係合して剃刀カートリッジをハンドルにラッチ式に接続する。
【０００５】
国際公開第２０１６／０６１３２４号には、剃刀刃を保持するハウジングとコネクタとを含む剃刀カートリッジを有するさらなるシェービングシステムが開示されている。このコネクタの床部には、１対の非対称的なサイズないし大きさに設定及び／又は配置された戻り止め、あるいは爪が位置する。戻り止めは、ハンドル延長部の１対の凹部に係合して剃刀カートリッジをハンドルにスナップ式に接続する。戻り止めは、ユーザがカートリッジを分離させるためにハンドルのエジェクトボタンを操作すると、少なくともある程度連続的に離脱する。本開示の文脈における「ある程度連続的に」は、いずれか一方の戻り止めを離脱させるための力／撓み（ｆ／ｄ）プロット（ｆｏｒｃｅ／ｄｅｆｌｅｃｔｉｏｎ（ｆ／ｄ）  ｐｌｏｔ）が他方の戻り止めのｆ／ｄプロットと一時的に重なることを意味するように意図される。「少なくとも」は、ｆ／ｄ離脱プロット同士が完全に連続して一時的に重なることができることを意味するように意図される。
【０００６】
上述した文献では、１対の戻り止めが、いずれもそれぞれのコネクタの床部の切り抜かれた片持ち状フラップ部分に位置する。剃刀ハンドルとの接続／分離中にいずれか一方の戻り止めが動き又は撓み、又はエジェクトボタンが作動すると、１対の戻り止めの他方も動き又は撓むようになる。
【先行技術文献】
【特許文献】
【０００７】
【特許文献１】米国特許第５，７８７，５８６号明細書
【特許文献２】米国特許第５，９５６，８５１号明細書
【特許文献３】国際公開第２０１６／０６１３２４号
【特許文献４】米国特許第６，０２６，５７７号明細書
【発明の概要】
【発明が解決しようとする課題】
【０００８】
上記文献のものを含むシェービングシステムでは、ハンドルからカートリッジを分離させるためにユーザがエジェクトボタンを介して加える力が比較的弱くて済むことがシェービングカートリッジにとって有益である。これとは逆に、使用中又は剃刀をうっかり落下させた場合などの他の事象中には、ハンドルからカートリッジを分離させるために比較的強い力を加える必要があることがシェービングカートリッジにとって有益である。
【課題を解決するための手段】
【０００９】
本開示は、安全剃刀、安全剃刀の剃刀カートリッジ、又は剃刀カートリッジのコネクタを提供することによって先行技術の欠点を解消又は少なくとも実質的に軽減することを目的とする。この安全剃刀は、ハンドル及び剃刀カートリッジを含む。ハンドルは、剃刀カートリッジの陥凹部に係合するカートリッジ支持構造を提供する延長部を有し、延長部は、剃刀カートリッジが延長部との接続中及び延長部からの分離中に沿って移動できる軸を定め、延長部は、それぞれが剃刀カートリッジの２つの戻り止めのそれぞれ一方を受け取る１対の凹部を有する。ハンドルは、延長部に沿って摺動可能であるとともに剃刀カートリッジに係合して剃刀カートリッジをハンドルの延長部から分離させるように適合されたユーザ操作可能なエジェクタも含む。安全剃刀の剃刀カートリッジは、刃ユニット及びコネクタを有する。剃刀カートリッジの陥凹部は、床部及び天井部を形成するコネクタの対向壁によって部分的に定められ、２つの戻り止めは、床部上に存在して陥凹部内に延びる。床部は、２つの戻り止め間の中心スロットをさらに有し、中心スロットは、ハンドルの延長部から剃刀カートリッジを分離させるためにユーザ操作可能なエジェクタが操作された時に、それぞれの床部上のいずれか一方の戻り止めの撓みがそれぞれの床部上の他方の戻り止めの撓みに実質的に影響されないようなサイズすなわち大きさに設定あるいは形状に設定される。
【００１０】
他の態様では、陥凹部が外側壁によってさらに定められ、床部が、床部と外側壁との間の接合部又はその付近に側方スロットを有する。
【００１１】
さらなる態様では、陥凹部が、床部から天井部に向かって延びる、陥凹部の入口に対向する陥凹部の端部の２つの端壁によってさらに定められ、各端壁は、それぞれの戻り止めに隣接する。端壁の少なくとも一方は、床部から天井部に延びることができる。或いは、少なくとも一方の端壁と天井部との間に、端壁と天井部とを分離する間隙を設けることもできる。
【００１２】
さらなる態様では、戻り止めが対称的なサイズないし形状、あるいは大きさに設定され、及び／又はコネクタの中心面の周囲に配置される。或いは、戻り止めが非対称的なサイズあるいは大きさに設定され、及び／又はコネクタの中心面の周囲に配置される。
【００１３】
中心スロット及び任意の側方スロットは、いずれか一方の戻り止めのあらゆる動き又は撓みが他方の戻り止めのあらゆる撓みに影響されず、或いは他方の戻り止めを全く又は実質的に全く撓ませないことをコネクタに与える。いずれか一方の戻り止めのそれぞれのハンドル延長部凹部との係合及び離脱は、他方の戻り止めの係合／離脱から実質的に切り離される。ユーザは、エジェクトボタンを介して弱い力を加えてハンドルからカートリッジを分離できる一方で、使用中又は剃刀をうっかり落下させた場合などの他の事象中には、剃刀ハンドルからカートリッジを分離させるために比較的強い力が必要とされる。
【００１４】
当業者には、以下の詳細な説明及び図面に照らして本開示の上記の及びその他の利点が明らかになるであろう。
【００１５】
全体を通じて同じ参照数字の要素が同様の要素を示す添付図面を参照する。
【図面の簡単な説明】
【００１６】
【図１】安全剃刀の正面図である。
【図２】図１の安全剃刀の側面図である。
【図３】図１の安全剃刀のハンドルの正面図である。
【図４】図３の上端図である。
【図５】図３の部分的断面図である。
【図６】図１の安全剃刀の剃刀カートリッジのコネクタの下端図である。
【図７】図６の側面図である。
【図８】別のコネクタの下側斜視図である。
【図９】図８のコネクタの上側斜視図である。
【図１０】図８のコネクタの下面図である。
【図１１】１１−１１において切り取った図１０の断面図である。
【図１２】１２−１２において切り取った図１０の対向断面図である。
【発明を実施するための形態】
【００１７】
まず、図面を参照すると、具体的には図１〜図２に安全剃刀１０を示す。安全剃刀１０は、剃刀カートリッジ１４が接続されたハンドル１２を含む。これらの図及び図３には、単にこれらの図を好適なスケールで表す都合上、ハンドル１２を短縮した形で示しており、従って本発明はハンドル１２の長さ又は形状に関して限定されるものではない。剃刀カートリッジ１４はハウジング１６を含み、ハウジング１６内には１又は２以上の剃刀刃１８が取り付けられる。ハウジング１６は、コネクタ２０によって支持される。図示の実施形態では、ハウジング１６がコネクタ２０に対して枢動軸２４を中心に枢動できるように、ハウジング１６をコネクタ２０によって枢動可能に支持することができる。図示の実施形態では、ハウジング１６が、シェルベアリング２２を含む枢動支持構造を有するが、本開示は、この点に関して限定すべきものではなく、ピンインホール（ｐｉｎｓ  ｉｎ  ｈｏｌｅｓ）及びいわゆる一体ヒンジのなどの他の支持方法も本開示の範囲に含まれる。ハウジング１６は、剛体的に支持し、例えばコネクタ２０によって非枢動可能に支持することも、或いは米国特許第６，０２６，５７７号などに記載されるようにコネクタ２０と一体的に形成することもでき、この文献の（ヘッド１１として記載されている）一体型ハウジング及び（チャンバ１５として記載されている）コネクタに関する内容は引用により本明細書に組み入れられる。
【００１８】
ハウジング１６及びコネクタ２０は、いずれも同じもの又は異なるものとすることができる好適な（単複の）熱可塑性材料で形成されることが好ましい。例えば、ハウジング１６は、射出成形されたアクリロニトリルブタジエンスチレンスチレン（ＡＢＳ）から形成することができ、コネクタは、射出成形されたポリオキシメチレン（ＰＯＭ）から形成することができる。これらの材料の利点としては、寸法安定性、湿式シェービング環境での使用において典型的に見られる耐化学薬品性、及び相対的枢動中に一方が他方に対して摺動する低摩擦が挙げられる。
【００１９】
図３〜図４及び図５は、それぞれハンドル１２の正面図、上端図及び部分的断面図である。ハンドル１２は、コネクタ２０の陥凹部５０（図６を参照）に係合する延長部３０を含む。延長部３０は軸３２を定め、剃刀カートリッジ１４は、ハンドル１２への接続及びハンドル１２からの分離時にこの軸３２に沿ってハンドルに対して動く。延長部３０は、好ましくは軸３２の周囲に対称的に配置される、或いは非対称的な大きさ、すなわちサイズに設定又は配置できる１対の凹部３４を含む。両凹部３４は、本開示において後述するような前縁３６を有する。ハンドル１２は、ユーザがボタン４２を操作することによって延長部に沿って摺動できる、ボタン４２に接続されたエジェクタ４０を含む。エジェクタ４０はＵ字形とすることができ、Ｕ字の各脚の遠位端４４は、ユーザがハンドル１２から剃刀カートリッジ１４を分離させ又は別様に排出するためにボタン４２を操作した時に、剃刀カートリッジ１４のコネクタ２０のそれぞれの内面（図６の５２を参照）に接触するように適合される。ハンドルは、（本開示で後述する）陥凹部５０によって部分的に定められるコネクタ２０の開口部を通じて作用できるバネ付勢式プランジャ３８を有することもできる。プランジャ３８の遠位端は、剃刀カートリッジ１４のハウジング１６のカム面に作用して、外力（例えば、シェービング動作中に引き起こされる力）が除去された時に剃刀カートリッジ１４を中立又は静止位置に付勢することができる。図１及び図２に、典型的な中立位置を示す。
【００２０】
図６には、図１の安全剃刀１０の剃刀カートリッジ１４のコネクタ２０の下端図、すなわち陥凹部５０への入口のビューを示す。陥凹部５０は、床部６０及び天井部７０を形成する対向壁と、床部６０から天井部７０に向かって延びる、入口に対向する陥凹部５０の端部の端壁８０、８２とによって少なくとも部分的に定められ、各端壁は、それぞれの戻り止め５６、５８に隣接する。端壁８０、８２は、前段で説明したような内面５２を定める。陥凹部５０は、床部６０から陥凹部５０内に延びる２つの戻り止め５６、５８を含む。図６に示すように、端壁８２は、床部６０から天井部７０に延びて床部６０を天井部７０に接続する。端壁８０は床部６０から延び、この端壁８０の頂部と天井部７０との間には、この端壁８０を天井部７０から分離する間隙８４が設けられる。他の実施形態では、両端壁８０、８２と天井部７０との間に間隙８４を設けることもできる。或いは、両端壁８０、８２が床部６０から天井部７０まで延びることもできる。
【００２１】
図８〜図１２に、やはり上述したような特徴を有する別のコネクタ２０を示す。このコネクタは、陥凹部５０を部分的に定める対向する床壁及び天井壁（それぞれ６０、７０）を有する。床部６０からは、戻り止め５６、５８が延びる。床部６０からは、天井部７０に向かって端壁８０、８２が延びる。端壁８０は、床部６０と天井部７０とを相互接続する。端壁８２の頂部と天井部７０との間には間隙８４が設けられる。ハウジング１６のそれぞれのシェルベアリング２２に係合して、ハウジング１６が枢動軸２４を中心にコネクタ２０に対して枢動できるようにする、対向する弓形ベアリング構造１１０、１１２が設けられる。弓形ベアリング構造１１０、１１２は、アーム１２０、１２２の遠位端に存在する。
【００２２】
床部６０は、戻り止め５６、５８間に位置する中心スロット９０を含む。床部６０と陥凹部５０のそれぞれの外側壁１００との間の接合部又はその付近における戻り止め５６の反対側には、任意の側方スロット９２が位置する。側方スロット９２は、床部６０内に存在することが好ましい。中心スロット９０及び側方スロット９２は、いずれも床部６０を貫通又は実質的に貫通して延びることが好ましい。中心スロット９０及び側方スロット９２は、いずれか一方の戻り止め５６、５８のあらゆる動き又は撓みが他方の戻り止め５６、５８のあらゆる撓みに影響されないように、或いは他方の戻り止め５８、５６を全く又は実質的に全く撓ませないような大きさすなわち、サイズに設定される（すなわち、軸３２と平行な方向の長さを有する）。いずれか一方の戻り止め５６、５８のそれぞれのハンドル延長部凹部３４との係合及び離脱は、他方の戻り止め５８、５６の係合／離脱から実質的に切り離される。ユーザは、エジェクトボタンを介して弱い力を加えてハンドルからカートリッジを分離できる一方で、使用中又は剃刀をうっかり落下させた場合などの他の事象中には、ハンドルからカートリッジを分離させるために比較的強い力が必要とされる。
【００２３】
図８〜図１２（及び図６）の実施形態に示すように、端壁８０と天井部７０との間には間隙８４が設けられる。ユーザがハンドルからカートリッジ１４を排出するためにハンドル１２のボタン４２を操作した結果、エジェクタ脚部遠位端４４がそれぞれの内面５２に作用すると、戻り止め５６、床部の局所部分６０及び端壁８０が中心スロット９０及び側方スロット９２と連動して単一ラッチ部材として機能する。この実施形態では、端壁８２が、戻り止め５８又はその付近において床部６０を天井部７０に相互接続する。ユーザがハンドルからカートリッジ１４を排出するためにハンドル１２のボタン４２を操作した結果、エジェクタ脚部遠位端４４がそれぞれの内面５２に作用すると、戻り止め５８と床部６０の局所部分とがそれぞれの凹部３４内で単一スナップ嵌合部として機能する。換言すれば、一方の戻り止め（例えば、５６）は、単一スナップ嵌合部の一部として機能する他方の戻り止め（例えば、５８）とは無関係に単一ラッチ部材の一部として機能することができる。
【００２４】
図８〜図１２では、戻り止め５６、５８を概ね対称的な大きさ、すなわちサイズに設定して（断面切断面１１−１１／１２−１２を通るコネクタ２０の中心面の周囲に）配置することができる。図６では、（図示のような）戻り止め５６、５８が、床部６０に対して垂直な方向に定められる、異なる高さ「ｖ」を有することができる（図７も参照）。図６の部分的断面図である図７では、戻り止め５６の前縁（図の右手側）を戻り止め５８の前縁に対して距離「ｈ」だけオフセットすることができ、或いは一方の戻り止め５６又は５８が異なる引き込み角（ｌｅａｄ−ｉｎ  ａｎｇｌｅ）「ａ」を有することができる。戻り止め５６は、ハンドル１２からのカートリッジ１４の分離中に、それぞれの凹部３４の前縁３６に係合する戻り止め５８の係合とは無関係にそれぞれの凹部３４の前縁３６に係合する。このようにして、いずれか一方の戻り止め５６、５８の係合／脱離を、タイミング（例えば、いずれか一方が他方よりも前に離脱し始めることができる）、力／撓み特性及び作用（スナップ嵌合又はラッチ部材としての構成）の面で他方の戻り止め５８、５６に対して完全に独立させることができる。
【００２５】
当業者であれば、以下の特許請求の範囲に定める本開示の実際の範囲から逸脱することなく変形及び修正を行うことができると認識するであろう。例えば、陥凹部の内壁内に凹部を設け、延長部の外面上に戻り止めを設けることもできる。戻り止めを軸の周囲に対称的に配置し、凹部を軸に関して非対称とすることもできる。いずれか１つの実施形態に関連して開示した特徴は、単独で使用することも、或いは他のそれぞれの実施形態の各特徴と組み合わせて使用することもできる。
【符号の説明】
【００２６】
２０  コネクタ
５０  陥凹部
５２  内面
５６  戻り止め
５８  戻り止め
６０  床部
７０  天井部
８０  端壁
８２  端壁
８４  間隙
９０  中心スロット
９２  側方スロット
１００  外側壁
１１０  弓形ベアリング構造
１１２  弓形ベアリング構造
１２０  アーム
１２２  アーム
【図１】
2020531202.tif 000003
【図２】
2020531202.tif 000004
【図３】
2020531202.tif 000005
【図４】
2020531202.tif 000006
【図５】
2020531202.tif 000007
【図６】
2020531202.tif 000008
【図７】
2020531202.tif 000009
【図８】
2020531202.tif 000010
【図９】
2020531202.tif 000011
【図１０】
2020531202.tif 000012
【図１１】
2020531202.tif 000013
【図１２】
2020531202.tif 000014
【国際調査報告】
2020531202.tif 000015
2020531202.tif 000016